(57)【要約】【課題】装着者の顔の動きに対応して伸縮可能であり、装着者の顔に沿って配置させることが可能なマスクを提供すること。【解決手段】このマスク１は、横方向に折り畳まれた上向きプリーツ７及び下向きプリーツ８が形成され、上向きプリーツ７は、中央折畳み部９の上側に設けられ、下向きプリーツ８は、中央折畳み部９の下側に設けられており、下向きプリーツ８は、上向きプリーツ７よりも多く形成されており、中央折畳み部９の縦方向における中心Ｃ３は、マスク全体の縦方向における中心Ｃ１よりも上方に配置されている。【選択図】  図１
0003156690.tif 000002
【実用新案登録請求の範囲】
【請求項１】
横方向に折り畳まれた上向きプリーツ及び下向きプリーツが形成されたマスクであって、
上向きプリーツは、横方向に延びて配置される中央折畳み部の上側に設けられ、
下向きプリーツは、該中央折畳み部の下側に設けられており、
該下向きプリーツは、該上向きプリーツよりも多く形成されており、
前記中央折畳み部の縦方向における中心は、マスク全体の縦方向における中心よりも上方に配置されている、マスク。
【請求項２】
前記上向きプリーツは、横方向に折り畳まれた第１折畳み部によって形成されており、
前記下向きプリーツは、横方向に折り畳まれた第２折畳み部及び第３折畳み部によって形成されており、
前記中央折畳み部は、該第１折畳み部と該第２折畳み部との間に位置しており、
該中央折畳み部の上側には、該中央折畳み部に連設され、該中央折畳み部よりも上方に向かって延設する上側部が設けられ、
該中央折畳み部の下側には、該中央折畳み部に連設され、該中央折畳み部よりも下方に向かって延設する下側部が設けられ、
前記第１折畳み部は、前記中央折畳み部と前記上側部とに跨るように配置され、
前記第２折畳み部は、前記中央折畳み部と前記下側部とに跨るように配置され、
前記第３折畳み部は、前記第２折畳み部の下方に位置する下側部に配置されている、請求項１に記載のマスク。
【請求項３】
前記中央折畳み部と前記第３折畳み部とを含む領域の縦方向における中心は、マスク全体の縦方向における中心と略重なる位置である、請求項２に記載のマスク。
【請求項４】
前記第１折畳み部は、前記中央折畳み部の上端縁に配置され、かつ上側に突出した山折り部と、前記上側部に配置され、かつ下側に突出した谷折り部と、を有しており、
マスクの上端縁から前記谷折り部までの距離は、４０ｍｍ以上４５ｍｍ以下である、請求項２又は請求項３に記載のマスク。
【請求項５】
前記谷折り部と前記マスクの上端縁との間には、該マスクの上端縁を装着者の鼻に沿って配置させるための芯材が設けられている、請求項４に記載のマスク。
【請求項６】
前記マスクの右端部と左端部とには、前記上向きプリーツ及び前記下向きプリーツの広がりを押さえる溶着部が設けられており、
該溶着部は、縦方向における中心よりも上端部及び下端部が内側に向かって延びた円弧形状である、請求項１から請求項５のいずれかに記載のマスク。
【請求項７】
前記溶着部は、超音波による複数のスポット溶着によって構成されている、請求項６に記載のマスク。
【考案の詳細な説明】
【技術分野】
【０００１】
本考案は、鼻口部を覆うように装着されるマスクに関する。
【背景技術】
【０００２】
近年、花粉やウイルス等からの保護や衛生上の観点よりマスクが多用されており、その種類は多様化している。例えば、特許文献１には、横方向にプリーツ加工が施された略四角形状のマスク本体と、このマスク本体の両側に備えた耳掛け部と、からなるマスクが記載されている。
【０００３】
特許文献１に記載のマスクは、所定幅で折り返されて横方向にプリーツ加工が施されており、横方向に沿った複数のプリーツが形成されている。このプリーツは、マスク本体の上半分と下半分とで逆方向に折り返されるように構成されており、マスクの縦方向における中心（中心高さ位置）よりも上半分に上向きプリーツが形成され、マスクの縦方向における中心よりも下半分に下向きプリーツが形成されている。
【先行技術文献】
【特許文献】
【０００４】
【特許文献１】実用新案登録第３１１７５００号公報
【考案の概要】
【考案が解決しようとする課題】
【０００５】
一般的に鼻口部を覆うマスクは、鼻の付け根から顎までを覆うように装着されるように構成されており、マスクの縦方向における中心は、装着者の鼻の下辺りや口元に位置することが多い。装着されたマスクの上半分と下半分とを比較すると、上半分に位置する顔の可動範囲は比較的小さいが、下半分には口や顎等が配置され、その可動範囲は比較的大きくなる。
【０００６】
しかしながら、特許文献１に記載のマスクは、マスクの縦方向における中心よりも上半分方と下半分とで逆向きのプリーツが形成され、そのプリーツの形状は上下対称となっているため、マスクの上半分における伸縮態様と下半分における伸縮態様とは、略同じ態様になる。
【０００７】
マスクの上半分と下半分とにおいて伸縮可能範囲が略同じであるため、上半分ではプリーツによって形成された伸縮範囲が十分に活用されなかったり、下半分ではプリーツによって形成された伸縮範囲が不足したりするおそれがあり、装着者の顔の動きに対応させてマスクを配置させ難いおそれがあった。
【０００８】
本考案は、上記の事情に鑑みて為されたもので、装着者の顔の動きに対応して伸縮可能であり、装着者の顔に沿って配置させることが可能なマスクを提供することを例示的課題とする。
【課題を解決するための手段】
【０００９】
本考案の例示的な側面としてのマスクは、横方向に折り畳まれた上向きプリーツ及び下向きプリーツが形成されたマスクであって、上向きプリーツは、横方向に延びて配置される中央折畳み部の上側に設けられ、下向きプリーツは、中央折畳み部の下側に設けられており、下向きプリーツは、上向きプリーツよりも多く形成されており、中央折畳み部の縦方向における中心は、マスク全体の縦方向における中心よりも上方に配置されている。
【００１０】
マスクの中央折畳み部よりも上側には上向きプリーツが形成されており、中央折畳み部よりも下側には下向きプリーツが形成されている。したがって、中央折畳み部を境にして上側と下側とで逆方向に開くプリーツが形成される。上向きプリーツは、マスクを正面から見て上方に突出した折り目を有し、マスクの上端部が上側に引っ張られることにより、上方に延出するように構成される。一方、下向きプリーツは、マスクを正面から見て下方に突出した折り目を有し、マスクの下端部が下側に引っ張られることにより、下方に延出するように構成される。
【００１１】
このように、中央折畳み部を境にして上向きプリーツと下向きプリーツとを設けることにより、マスクの中央折畳み部を装着者の顔の一部にフィットさせて、その上側と下側とをそれぞれ伸縮させることができ、装着者の口の開け閉め等上下方向に伸縮する動きに対応してマスクを伸縮させることが可能となる。
【００１２】
また、中央折畳み部の縦方向における中心を、マスク全体の縦方向における中心よりも上方に配置することにより、中央折畳み部を装着者の鼻辺りに配置して、その上側と下側とをそれぞれ上方と下方とに延出させることができる。マスクが装着された状態における上側と下側の顔の可動範囲を比較すると、上側には鼻の付け根等が配置されており、その可動範囲は比較的小さい。これに対して、下側には口や顎等が配置されており、その可動範囲は比較的大きくなる。
【００１３】
中央折畳み部よりも下側に配置される下向きプリーツを中央折畳み部よりも上側に配置される上向きプリーツよりも多く設けることにより、中央折畳み部よりも下側の伸縮範囲を大きく形成することが可能となり、装着者の顔の動きに対応して伸縮させて、装着者の顔に沿って配置させることが可能となる。なお、ここで「横方向に折り畳まれる」とは、折れ線が横方向となるような折畳み状態を言う。
【００１４】
上向きプリーツは、横方向に折り畳まれた第１折畳み部によって形成されており、下向きプリーツは、横方向に折り畳まれた第２折畳み部及び第３折畳み部によって形成されており、中央折畳み部は、第１折畳み部と第２折畳み部との間に位置しており、中央折畳み部の上側には、中央折畳み部に連設され、中央折畳み部よりも上方に向かって延設する上側部が設けられ、中央折畳み部の下側には、中央折畳み部に連設され、中央折畳み部よりも下方に向かって延設する下側部が設けられ、第１折畳み部は、中央折畳み部と上側部とに跨るように配置され、第２折畳み部は、中央折畳み部と下側部とに跨るように配置され、第３折畳み部は、第２折畳み部の下方に位置する下側部に配置されるように構成されていてもよい。
【００１５】
中央折畳み部よりも上方に向かって延設する上側部と、中央折畳み部よりも下方に向かって延設する下側部と、を設け、中央折畳み部と上側部とに跨って第１折畳み部を設けると共に、中央折畳み部と下側部とに跨って第２折畳み部を設けることにより、中央折畳み部を挟んで上下逆方向に伸縮するプリーツを形成することができる。また、中央折畳み部よりも下方に位置する下側部に下向きプリーツを構成する第３折畳み部を設けることにより、上向きプリーツよりも下向きプリーツを多く形成し、口や顎の動きに対応して伸縮させて、装着者の顔にフィットさせることが可能となる。
【００１６】
なお、第１折畳み部、第２折畳み部、及び第３折畳み部によって構成される複数のプリーツは、下向きプリーツが上向きプリーツよりも多く形成されていればよく、例えば、第１折畳み部の上方に更に上向きプリーツを形成すると共に、第３折畳み部の下方に更に下向きプリーツを形成して、２つの上向きプリーツと３つの下向きプリーツとを設けてもよい。
【００１７】
中央折畳み部と第３折畳み部とを含む領域の縦方向における中心は、マスク全体の縦方向における中心と略重なる位置であってもよい。中央折畳み部と上側部とに跨って第１折畳み部が設けられ、かつ中央折畳み部と下側部とに跨って第２折畳み部が設けられているため、中央折畳み部と第３折畳み部とを含む領域には、第３折畳み部と、第１折畳み部及び第２折畳み部の一部と、が含まれている。この中央折畳み部と第３折畳み部とを含む領域の縦方向における中心がマスク全体の縦方向における中心と重なるように配置されているため、中央折畳み部と第３折畳み部とを含む領域はマスク全体の中心に配置される。
【００１８】
したがって、マスク全体の中心を含む一定領域に１つの上向きプリーツと２つの下向きプリーツとを配置して、この一定領域において上方の伸縮範囲よりも下方の伸縮範囲を十分に確保することができ、中央折畳み部が配される鼻周辺の動きに対応して伸縮させることが可能となる。
【００１９】
また、第１折畳み部の上方と第３折畳み部の下方とにプリーツを形成しないことにより、マスクの上端と下端を同じ幅分平滑面として装着者にフィットさせると共に、その内側部分を伸縮させることができ、装着者の顔にフィットさせつつ、顔の動きに対応させて空間を確保することが可能となる。
【００２０】
第１折畳み部は、中央折畳み部の上端縁に配置され、かつ上側に突出した山折り部と、上側部に配置され、かつ下側に突出した谷折り部と、を有しており、マスクの上端縁から谷折り部までの距離は、４０ｍｍ以上４５ｍｍ以下であることが望ましい。
【００２１】
中央折畳み部の上端縁に山折り部を設けると共に、中央折畳み部よりも上方に延出された上側部に谷折り部を設けることによって、山折り部が上方に突出した上向きプリーツを形成することができる。また、一般的に鼻口部を覆うマスクは、装着者の鼻の付け根から顎までを覆うように装着されるが、マスクの上端縁から４０ｍｍ以上４５ｍｍ以下の範囲に鼻頭が位置していることが多い。鼻頭は、マスクが装着される顔の部位の中で最も突出した部位である。
【００２２】
マスクの上端縁から谷折り部までの距離を４０ｍｍ以上４５ｍｍ以下にすることにより、装着者の鼻頭に谷折り部を配置させることができる。谷折り部の下方には山折り部が設けられており、山折り部は谷折り部よりも装着者から離間して（浮いて）配置される。最も突出した鼻頭に谷折り部を配置させることにより、谷折り部よりも山折り部を浮かせて配置して、鼻頭の周囲の空間を確保することが可能となる。したがって、鼻頭の下部にある鼻の穴や口にマスクを密着させず、鼻の穴や口の前方に空間を設けて、装着者の付け心地を向上させることができる。
【００２３】
谷折り部とマスクの上端縁との間には、マスクの上端縁を装着者の鼻に沿って配置させるための芯材が設けられていることが望ましい。谷折り部とマスクの上端縁との間に芯材を設けることにより、マスクの上端縁を鼻の付け根に沿って配置させて、マスクの上端縁の位置が鼻の付け根からずれることを防止することができる。マスクの上端縁の位置ずれを防止することにより、鼻頭に谷折り部を適切に配置して、鼻頭の下方の空間を適切に確保することが可能となる。
【００２４】
マスクの右端部と左端部とには、上向きプリーツ及び下向きプリーツの広がりを押さえる溶着部が設けられており、溶着部は、縦方向における中心よりも上端部及び下端部が内側に向かって延びた円弧形状であることが望ましい。
【００２５】
マスクの右端部と左端部とに溶着部を設けることにより、左端部及び右端部のプリーツの広がりを押さえて平滑面とすることができ、この平滑面である溶着部を装着者の頬に沿わせて配置させることができる。一方、溶着部に挟まれた内側部分は、装着時にプリーツを広げて空間を確保することができる。更に、溶着部は、縦方向における中心よりも上端部及び下端部が内側に向かって延びる円弧形状であるため、マスクの左端部及び右端部を頬の膨らみに沿って配することができ、装着時のマスクのずれを防止して付け心地を向上させることができる。
【００２６】
また、溶着部は、超音波による複数のスポット溶着によって構成されていることが望ましい。マスクは、不織布等の樹脂から構成されることが多く、熱や超音波で溶着することによって樹脂を接合して、折り重ねられたマスクを形成することができる。また、マスクを構成する樹脂として不織布が多用されており、複数毎の不織布を重ね合わせることにより、マスクの生地が構成される。
【００２７】
このように不織布からなる生地を熱や超音波によって溶着することにより、複数毎の不織布を接合して一体化し、一枚のマスクを形成することができる。また、不織布は、繊維を織らずに絡み合わされて形成されており、その表面に繊維の毛羽立ちが生じることがある。このような毛羽立ちが装着者の顔に繰り返し擦れると、装着者が不快に感じるおそれがある。
【００２８】
しかし、溶着部を超音波による複数のスポット溶着によって構成することにより、複数箇所で不織布同士を接合することができ、溶着部分によって繊維の毛羽立ちを押さえることが可能となる。特に溶着部は、装着者の頬に沿って配置される箇所であり、この箇所の毛羽立ちを押さえることにより、頬に対する摩擦を低減して、装着感を向上させることが可能となる。
【考案の効果】
【００２９】
本考案に係るマスクは、中央折畳み部を境にして上下逆方向に伸縮する上向きプリーツと下向きプリーツとを備えているため、マスクの中央折畳み部を装着者の顔の一部にフィットさせて、その上側と下側とをそれぞれ伸縮させることができ、装着者の口の開け閉め等上下方向に伸縮する動きに対応してマスクを伸縮させることが可能となる。また、中央折畳み部の縦方向における中心を、マスク全体の縦方向における中心よりも上方に配置して、下向きプリーツを上向きプリーツよりも多く設けることにより、中央折畳み部よりも下側の伸縮範囲を大きく形成することが可能となり、装着者の顔の動きに対応して伸縮させて、装着者の顔に沿って配置させることが可能となる。
【図面の簡単な説明】
【００３０】
【図１】本考案に係るマスクの正面図である。
【図２】図１に示すマスクの背面図である。
【図３】図１に示すＡ−Ａ断面図である。
【図４】マスクが装着された状態を模式的に示した側面図である。
【図５】マスクが装着された状態を模式的に示した斜視図である。
【考案を実施するための形態】
【００３１】
以下、本考案の実施の形態について図面を用いて説明する。図１は、本考案に係るマスクの正面図であり、図２は、図１に示すマスクの背面図である。図３は、図１に示すＡ−Ａ断面図である。なお、以下の説明における上下方向及び左右方向は、マスク１を正面から視認した状態における方向であり、適宜図面にて図示する。
【００３２】
本考案に係るマスク１は鼻口部を覆うように装着され、花粉、ウイルス及び塵等を遮るために使用されるマスクである。マスク１は、鼻口部を覆う略横長矩形のマスク本体２と、マスク本体２の左端部２ａ及び右端部２ｂに接続された耳かけ紐部３と、を有する。マスク本体２は、３枚の不織布を重ね合わされて３層で構成されている。３枚の不織布が重ね合わされた状態で熱及び超音波によって溶着されて、１枚の生地が構成されている。溶着部分は、マスク本体２の上端部２ｃ及び下端部２ｄにおいて横方向に沿って配置された第１溶着部分４と、マスク本体２の左端部２ａ及び右端部２ｂにおいて設けられた第２溶着部分５と、を有する。
【００３３】
第１溶着部分４は、マスク本体２の上端部２ｃに２列設けられ、下端部２ｄに２列設けられている。上端部２ｃに設けられた２列の第１溶着部分４の間には、マスク本体２の上端部２ｃを鼻の付け根に沿って配置させるための芯材６が設けられている。また、第２溶着部分５は、マスク本体２の横方向における中心Ｃ２を軸として左右対称の形状で設けられている。第２溶着部分５は、マスク本体２の縦方向における中心Ｃ１よりも上端部２ｃ及び下端部２ｄが内側に向かって延びた円弧形状である。
【００３４】
第１溶着部分４及び第２溶着部分５は、複数のスポット溶着によって構成されている。複数のスポット溶着によって構成することにより、複数箇所で不織布同士を接合して繊維の毛羽立ちを押さえることが可能となる。毛羽立ちを押さえることにより、装着者の肌に対する摩擦を低減して、マスク１の付け心地を向上させることが可能となる。
【００３５】
マスク本体２は、横方向に折り畳まれた複数のプリーツが形成されている。プリーツは、正面から視認して上向きに突出した上向きプリーツ７と、下向きに突出した下向きプリーツ８と、を有する。上向きプリーツ７は、上方に突出した折り目を有し、マスク本体２の上端部２ｃが上側に引っ張られることにより、上方に延出するように構成される。下向きプリーツ８は、下方に突出した折り目を有し、マスク本体２の下端部２ｄが下側に引っ張られることにより、下方に延出するように構成される。
【００３６】
マスク本体２の縦方向における中心Ｃ１よりも上方には、上向きプリーツ７が設けられ、中心Ｃ１よりも下方には、下向きプリーツ８が形成されている。上向きプリーツ７と下向きプリーツ８との間には、横方向に延びて配置される中央折畳み部９が設けられている。中央折畳み部９の上側には、中央折畳み部９に連設され、中央折畳み部９よりも上方に向かって延設する上側部１０が設けられ、中央折畳み部９の下側には、中央折畳み部９に連設され、中央折畳み部９よりも下方に向かって延設する下側部１１が設けられている。
【００３７】
中央折畳み部９と上側部１０とに跨るように第１折畳み部１２が設けられている。第１折畳み部１２は、上方に向かって突出した山折り部１２ａと、下方に向かって突出した谷折り部１２ｂと、を有している。山折り部１２ａは、中央折畳み部９の上端縁となる。正面視にて第１折畳み部１２の山折り部１２ａが視認可能に配置されており、第１折畳み部１２が上向きプリーツ７を構成する。
【００３８】
また、中央折畳み部９と下側部１１とに跨るように第２折畳み部１３が設けられている。第２折畳み部１３は、下方に向かって突出した山折り部１３ａと、上方に向かって突出した谷折り部１３ｂと、を有している。山折り部１３ａは、中央折畳み部９の下端縁となる。正面視にて第２折畳み部１３の山折り部１３ａが視認可能に配置されており、第２折畳み部１３が下向きプリーツ８を構成する。更に、第２折畳み部１３の下方に位置する下側部１１には、下方に向かって突出した山折り部１４ａと、上方に向かって突出した谷折り部１４ｂと、を有する第３折畳み部１４が設けられている。
【００３９】
第１折畳み部１２によって１つの上向きプリーツ７が形成され、第２折畳み部１３及び第３折畳み部１４によって２つの下向きプリーツ８が形成される。したがって、上向きプリーツ７よりも下向きプリーツ８が多く形成されており、マスク本体２の下半分の伸縮範囲を十分に確保することが可能となる。
【００４０】
また、中央折畳み部９の縦方向における中心Ｃ３は、マスク本体２の縦方向における中心Ｃ１よりも上方に配置されている。中央折畳み部９の縦方向における中心Ｃ３を、マスク本体２の縦方向における中心Ｃ１よりも上方に配置することにより、中央折畳み部９を装着者の鼻辺りに接するようにして、上側部１０と下側部１１とをそれぞれ上方と下方とに延出させることができる。
【００４１】
図４及び図５は、マスク１が装着された状態を模式的に示した図であり、図４は側面図であり、図５は斜視図である。鼻口部を覆うマスク１は、一般的に鼻の付け根から顎までを覆うように装着される。マスク１が装着された状態における上側と下側の顔の可動範囲を比較すると、上側には鼻の付け根等が配置されており、その可動範囲は比較的小さい。これに対して、下側には口や顎等が配置されており、その可動範囲は比較的大きくなる。
【００４２】
中央折畳み部９をマスク本体２の縦方向における中心Ｃ１よりも上方に配置することにより、中央折畳み部９の下側に設けられた２つの下向きプリーツ８を鼻の下部や口元に配置して、口の開け閉めに伴って伸縮させることができる。よって、口の開け閉め等が為された場合であっても、マスクを対応させて伸縮させて、マスクを顔に沿って配置することが可能となる。
【００４３】
また、中央折畳み部９と上側部１０とに跨って配置された第１折畳み部１２の谷折り部１２ｂは、マスク本体２の上端縁２ｅから４０ｍｍの位置に設けられており、装着者の顔の部位の中で最も高い鼻頭に接するように構成されている。また、第１折畳み部１２の山折り部１２ａは、折り畳まれた状態では谷折り部１２ｂよりも上方に突出しているが、谷折り部１２ｂが鼻頭と接して上方に突出することにより、谷折り部１２ｂよりも下方に延びて配置される。
【００４４】
第１折畳み部１２の谷折り部１２ｂを鼻頭に接するように構成すると、この谷折り部１２ｂを頂点として山折り部１２ａが鼻周辺の前方及び下方に空間を持たせつつ配置される。鼻下部の前面や口周辺の前面にマスク１が密着すると、呼吸や会話の際にマスク本体２の内面が口等に当たり、装着者が不快に感じるおそれがある。しかし、谷折り部１２ｂを鼻頭近傍と接するよう構成することにより、鼻下部や口周辺とマスク本体２の内面との間に空間を設けることができ、マスク１による圧迫感を減少させることができる。
【００４５】
更に、マスク本体２の左端部２ａ及び右端部２ｂには、第２溶着部分５が設けられており、この第２溶着部分５によってマスク本体２の左端部２ａ及び右端部２ｂのプリーツの広がりを抑えることができる。マスク本体２は、上向きプリーツ７及び下向きプリーツ８の上下方向の広がりによって顔の動きに対応して伸縮することができる。しかし、マスク本体２の左端部２ａ及び右端部２ｂのプリーツが広がると、マスク全体が上下方向に伸縮し、マスク本体２を装着者に十分フィットさせることができないおそれがある。
【００４６】
しかし、第２溶着部分５を設けることにより、マスク本体２の左端部２ａ及び右端部２ｂを平滑面として装着者の顔にフィットさせることができる。一方、左右の第２溶着部分５に挟まれた内側部分は、装着時にプリーツを広げて空間を確保することができる。また、第２溶着部分５は、マスク本体２の縦方向における中心Ｃ１よりも上側及び下側に向かって内側に延びる円弧形状であるため、マスク本体２の左端部２ａ及び右端部２ｂを頬の膨らみに沿って配することができ、装着時のマスク１のずれを防止して装着感を向上させることができる。
【００４７】
このようにマスク本体２の左端部２ａ及び右端部２ｂに耳掛け紐部３と第２溶着部分５を設けることにより、マスク本体２の左側と右側を装着者の頬にフィットさせて装着させることができ、位置ずれを低減して、マスクの位置ずれによる肌への摩擦を低減することができる。
【００４８】
更に、マスク本体２の上端部２ｃには、マスク本体２を鼻の付け根に沿わせて配置するための芯材６が設けられている。芯材６は、金属性の長尺部材であり、その形状を容易に変化させることができるように構成されている。芯材６を設けることにより、マスク本体２の上端部２ｃを鼻に付け根に沿わせて配置し、その位置ずれを防止することができる。
【００４９】
以上のように本考案に係るマスク１によれば、マスク本体２の下側の伸縮範囲を上側の伸縮範囲よりも確保することができ、マスク本体２の下側と接する口周辺の動きに対応してマスクを伸縮させることができる。また、鼻の下部や口周辺の前方に空間を設けてマスク１を配置することができるため、マスク１による圧迫感を低減し、付け心地を向上させることができる。更に、マスク本体２の左端部２ａ及び右端部２ｂに円弧形状の第２溶着部分５を備えているため、マスク本体２の左右端部を装着者の頬にフィットさせることができる。
【符号の説明】
【００５０】
Ｃ１：マスク本体の縦方向における中心
Ｃ２：マスク本体の横方向における中心
Ｃ３：中央折畳み部の縦方向における中心
１：マスク
２：マスク本体
２ａ：左端部
２ｂ：右端部
２ｃ：上端部
２ｄ：下端部
２ｅ：上端縁
３：耳掛け紐部
４：第１溶着部分
５：第２溶着部分
６：芯材
７：上向きプリーツ
８：下向きプリーツ
９：中央折畳み部
１０：上側部
１１：下側部
１２：第１折畳み部
１２ａ：山折り部
１２ｂ：谷折り部
１３：第２折畳み部
１３ａ：山折り部
１３ｂ：谷折り部
１４：第３折畳み部
１４ａ：山折り部
１４ｂ：谷折り部
【図１】
0003156690.tif 000003
【図２】
0003156690.tif 000004
【図３】
0003156690.tif 000005
【図４】
0003156690.tif 000006
【図５】
0003156690.tif 000007